(57)【要約】      （修正有）【課題】掛け布団や敷き布団として複数の人が容易に入ったりあるいは座ったりして利用することができまた、簡単にその布団の上に座卓を置いたり、あるいは座卓の上から掛けたりすることもできる布団を提供する。【解決手段】四角形をした掛け物１の交差する二つの対角線の四つの隅側がそれぞれ分離溝２により分離され、掛け物１の中央部は分離溝２のない四角形部に形成されるとともに、四角形部の四辺のそれぞれに分離溝２により形成された、前記四角形の掛け物の四辺をそれぞれ底辺とする台形部が接続された形状に形成されている掛け物。この掛け物と同じ大きさで且つ分離溝を備えた同じ形状をした袋状の掛け物カバー５に収納され、分離溝６に分離溝６を開閉する留め具８を備えた開閉布９が設けられている。【選択図】図３
0003194613.tif 000002
【実用新案登録請求の範囲】
【請求項１】
四角形をした掛け物の交差する二つの対角線の四つの隅側にそれぞれ分離溝が形成されて分離されるとともに、前記掛け物の中央部は分離溝のない四角形部に形成され、前記四角形部の四辺のそれぞれに前記分離溝により形成された、前記四角形の掛け物の四辺をそれぞれ底辺とする台形部が接続されていることを特徴とする掛け物。
【請求項２】
前記請求項1に記載の掛け物が、前記掛け物と同じ大きさで且つ分離溝を備えた同じ形状をした袋状の掛け物カバーに収納されていることを特徴とする掛け物。
【請求項３】
本願請求項３の考案は、前記掛け物カバーの分離溝に、前記分離溝を開閉する、留め具を備えた開閉布が設けられていることを特徴とする請求項２に記載の布団である。
【考案の詳細な説明】
【技術分野】
【０００１】
本考案は、布団あるいは毛布などの掛け物に関し、特に居間などでも多人数が使用可能でありまた、座卓や食卓などのテーブルとも併用可能な布団あるいは毛布などの掛け物に関する。
【背景技術】
【０００２】
通常の掛け布団、敷き布団あるいは毛布などの掛け物は、シングルあるいはダブルによって大きさは変わるものの四角形の１枚ものであり、一方向から入って寝るのが常識であり、複数の人が利用する場合も、通常は一方向から入って並んで寝るのが普通である。これらの掛け物は、寝室で使用されるのが普通であり、居間に運んできて使用されることはほとんどない。
【０００３】
居間で使える掛け物としてはこたつ掛け布団があり、本出願人は、複数の人がすぐ使えるこたつ布団を提案した。このこたつ布団は、図７に示すように、こたつ本体と天板との間に中央部２２が置かれ、四方の裾部２３がこたつ本体の側部に垂らされるこたつ布団において、四方の裾部２３の縁部に台形状の折り畳み部２４を一体に設け、この折り畳み部２４を裾部２３の縁部から天板側に折り畳んで止めることのできるホック２５，２６等の留め部を設けたこたつ布団である（特許文献１参照）。
【０００４】
このこたつ布団は、折り畳み部２４が台形の形状をして底辺の部分から裾部２３に折り畳みできるようになっており、通常は、折り畳み部２４はホック２５，２６で裾部２３に留められている。折り畳み部２４を折り畳んだ状態では、従来の四辺形のこたつ布団と同じ大きさである。
【０００５】
こたつで寝たい場合は、自分が座っている所の天板２７の辺のホック２５，２６を外すと、折り畳み部２４が裾部２３と分離できるので、そのまま（紐２８があるときは紐２８を外して）、折り畳み部２４を手前に降ろせば、自分用の掛け布団として使用することができ、この折り畳み部２４はこたつの４面にあるので４面の折り畳み部２４を複数の人間が自由に利用することができる、というものである。
【先行技術文献】
【特許文献】
【０００６】
【特許文献１】特開２０００−３２５２０７号公報
【考案の概要】
【考案が解決しようとする課題】
【０００７】
前記通常の四角形の掛け布団あるいは敷き布団は、仮に居間に運んできて広げて複数の人が利用しようとする場合、通常、一定方向からしか入れないという認識が働くことから、一方向から並んで入るのは親しくない人同士では気兼ねして入りづらい。また、こたつ布団のように、好きな方向から入ってよいといわれても、違和感がある。したがって居間で睡眠用の布団を使用することはほとんどない。
【０００８】
また、通常の布団の中央に座卓や食卓などのテーブルを置こうとしても、布団の上にテーブルを置く際には布団のクッシヨン性により不安定になるために簡単に置くことができないので、布団とテーブルの併用は行われていない。
【０００９】
また、前記特許文献１に示されるようなこたつ布団は、こたつの天板をはずしてテーブルに掛けて使うので、こたつとしてしか併用できず、単独では掛け布団あるいは敷き布団としては使用できない。さらに、最近は居間にこたつは邪魔だといわれ、年々こたつ布団は減少している。
【００１０】
そこで、本考案は、掛けたり敷いたりして複数の人が容易に入ったりあるいは座ったりして利用することができまた、テーブルを安定して上に置いたりあるいはテーブルの上に掛けたりすることができる布団や毛布などの掛け物を提供するものである。
【課題を解決するための手段】
【００１１】
本願請求項1の考案は、四角形をした掛け物の交差する二つの対角線の四つの隅側にそれぞれ分離溝が形成されて分離されるとともに、前記掛け物の中央部は分離溝のない四角形部に形成され、前記四角形部の四辺のそれぞれに前記分離溝により形成された、前記四角形の掛け物の四辺をそれぞれ底辺とする台形部が接続されていることを特徴とする掛け物である。
【００１２】
本願請求項２の考案は、前記請求項1に記載の掛け物が、前記掛け物と同じ大きさで且つ分離溝を備えた同じ形状をした袋状の掛け物カバーに収納されていることを特徴とする掛け物である。
【００１３】
本願請求項３の考案は、前記掛け物カバーの分離溝に、前記分離溝を開閉する、留め具を備えた開閉布が設けられていることを特徴とする請求項２に記載の布団である。
【考案の効果】
【００１４】
本考案による掛け物は、一枚物の四角形の掛け物を対角線の隅部に分離溝を形成して四辺を底辺とする台形部を独立させて形成したことにより居間においても複数の人が使用可能となる。
【００１５】
従来のこたつ敷ふとんは、一枚の掛け物でその上に座卓を乗せる際にはクッシヨン性により不安定になるために座卓の下に掛け物を敷く場合には、座卓を外して掛け物を敷き、その上に座卓を乗せる必要があったが、本考案の掛け物は、台形部が独立して分離溝があるので、テーブルの脚が掛け物の上に載ることもないので安定させることができるだけでなく、テーブルの下に敷きこむ際もテーブルを動かすことなく敷きこむことができる。
【００１６】
また、従来のこたつ布団は、ヒーターを備えた暖卓台にしか使えず、一般のテーブルに掛けて使うことはできないことからテーブルと布団の併用はできなかったが、本考案の掛け物は、こたつに限らず座卓や食卓などの一般のテーブルの上に掛けて使用することもできる。
【００１７】
従来の一枚物の布団を多人数で使用すると、あるいは、こたつに掛けた状態でも同様であるが、一人が布団を引っ張ると他人の部分が引っ張られて空いたりして迷惑を掛けるが、本考案の掛け物は、台形部を独立させているので、他人の部分が大きく引っ張られることがない。
【００１８】
こたつは天板の下が空間となっており、足元を暖めるためにこたつヒーターが必要であるが、その空問がなくなればヒーターが不要になる。また、その空闇を狭くすれば熱効率が断然によくなり、省エネとなる。本考案の掛け物は、本来のこたつ布団として使用する時に、天板下の空間を狭くすることができる掛け物である。例えば、本考案の掛け物をこたつに掛けた状態で、こたつに人が入っていない辺の掛け物の台形部を座卓の下に入れ、敷きこめば足を掛け物に載せることができ、本考案の掛け物は、こたつ掛布団でありながら、敷き布団にもなりうる掛け物である。また、人が入っていない辺の台形部をテーブルの下の空間に巻いて収納すれば空間が狭くなるためヒーターを入れなくても暖かく保温可能となる。
【００１９】
本考案の掛け物では、四辺の台形部を独立させた掛け物と同様の形の専用の掛け物カバーを付けて使用すれば分離溝は離脱着できるので掛け物には留め具を設ける必要がなく、台形部を接続したい場合には掛け物カバーの分離溝に留め具を設けて留めればよい。
【図面の簡単な説明】
【００２０】
【図１】本考案による掛け物の平面図である。
【図２】本考案による掛け物の掛け物カバーの平面図である。
【図３】本考案の掛け物の使用例（１）の説明図である。
【図４】本考案の掛け物の使用例（２）の説明図である。
【図５】本考案の掛け物の使用例（３）の説明図である。
【図６】本考案の掛け物の使用例（３）の説明図である。
【図７】（ａ）は従来のこたつ布団の平面図、（ｂ）は使用例の説明図である。
【考案を実施するための形態】
【００２１】
本考案の実施例について図面を参照しながら説明する。
【００２２】
図１において、本考案の掛け物１は、正方形などの四角形をした掛け物からなっており、各対角線の四つの隅側が分離溝２により分離され、中央部には分離溝のない点線の仮想線で示す四角形部３が形成され、この四角形部３の各辺にそれぞれ分離溝２により独立して、四角形の掛け物の四辺をそれぞれ底辺４ａとする台形部４が接続された形状となっている。掛け物の大きさは、それぞれの台形部４に人が入って横になっても足がぶつからない程度の大きさにすることが好ましい。
【００２３】
本考案による掛け物を包む掛け物カバー５は、図２に示すように、図１に示す掛け物１と同じ形状、大きさ、分離溝６により形成された台形部７を備え、袋状に形成されている。掛け物を掛け物カバー５で包むと、図１に示す掛け物１の分離溝２に留め具を設けることなく、独立した台形部４を保持することができる。
【００２４】
掛け物カバー５の分離溝６には、分離溝６を開閉する留め具８を備えた開閉布９が設けられている。留め具８は、ホック、ファスナーあるいは面テープなどの公知の開閉手段を利用して設けることができる。留め具８を開くと、開閉布９を開いて独立した台形部７を形成することができ、留め具８を閉めると、一枚の掛け物にすることができる。
【００２５】
次に本考案の掛け物の使用例について説明する。
【００２６】
図３に示す実施例は、掛け物カバー５で包まれた掛け物１をテーブル１０と併用した場合である。テーブル１０の脚１１は、分離溝６（２）（以下括弧内の符号は掛け物カバーに包まれた掛け物１の符号である。）に差し込まれ、台形部７（４）がテーブル１０の外側に拡がっている。分離溝６（２）は、使用状態によって、開閉布９で開閉することができる。本実施例では、台形部７（４）が独立しているので、簡単にテーブル１０と併用でき、複数の人が台形部１０の上に座って敷き布団１２として使用したり、あるいは、台形部７（４）の下に入って掛け布団１３として使用したりすることができる。
【００２７】
図３に示す実施例においては、掛け物１とテーブル１０を併用しているが、テーブルを使用しないで、複数の人が敷き布団として使用したり、あるいは、掛け布団として使用したりすることもできる。
【００２８】
図４に示す実施例では、テーブル１０の脚１１は分離溝６（２）に差し込まれ、分離溝６の開閉布９が留め具８に留められて閉められて一枚の掛け物に形成され、図３に示す実施例と同様に、複数の人が台形部７（４）の上に座って敷き布団として使用したり、あるいは、台形部７（４）の下に入って掛け布団として使用したりすることができる。
【００２９】
図５に示す実施例は、掛け物１を包んだ掛け物カバー５の分離溝６の開閉布９を留め具８で閉めた状態にした掛け物１をこたつなどの暖房手段を備えた座卓型のこたつ、あるいは、通常の座卓の上に被せ、その上に天板１４を載せて使用するものである。この状態においても、複数の人が掛け物を敷いたり、あるいは、掛けたりして使用することができる。
【００３０】
図６に示す実施例は、図３において、一つの台形部７（２）を、その両側の分離溝を開閉布９の留め具８を開いて隣り合う台形部７（２）と分離し、巻いてテーブルの下に入れ込んで保温するものである。従来のように、こたつに掛けて使用すると、天板１４の下は広い空間で暖めることになっていたが、人が入っていない台形部７（２）は天板１４の下に収納できるので、直接足もとが布団と接触し、ヒーターを入れずに暖かくなるし、仮にヒーターを入れても空間が狭いので省エネとなる。
【符号の説明】
【００３１】
１：布団
２：分離溝
３：正方形部
４：台形部
５：掛け物カバー
６：分離溝  
７：台形部
８：留め具
９：開閉布
１０：座卓
１１：脚
１２：敷き布団
１３：掛け布団
１４：天板
２２：中央部
２３：裾部
２４：折り畳み部
２５：ホック
２６：ホック
２７：天板
２８：紐
【図１】
0003194613.tif 000003
【図２】
0003194613.tif 000004
【図３】
0003194613.tif 000005
【図４】
0003194613.tif 000006
【図５】
0003194613.tif 000007
【図６】
0003194613.tif 000008
【図７】
0003194613.tif 000009
【手続補正書】
【提出日】平成26年10月1日(2014.10.1)
【手続補正１】
【補正対象書類名】実用新案登録請求の範囲
【補正対象項目名】全文
【補正方法】変更
【補正の内容】
【実用新案登録請求の範囲】
【請求項１】
四角形をした掛け物の交差する二つの対角線の四つの隅側にそれぞれ分離溝が形成されて分離されるとともに、前記掛け物の中央部は分離溝のない四角形部に形成され、前記四角形部の四辺のそれぞれに前記分離溝により形成された、前記四角形の掛け物の四辺をそれぞれ底辺とする台形部が接続されていることを特徴とする掛け物。
【請求項２】
請求項1に記載の掛け物を収納可能な、前記掛け物と同じ大きさで且つ分離溝を備えた同じ形状をした袋状に形成されていることを特徴とする掛け物カバー。
【請求項３】
前記掛け物カバーの分離溝に、前記分離溝を開閉する、留め具を備えた開閉布が設けられていることを特徴とする請求項２に記載の掛け物カバー。
【手続補正３】
【補正対象書類名】明細書
【補正対象項目名】０００１
【補正方法】変更
【補正の内容】
【０００１】
本考案は、布団あるいは毛布などの掛け物に関し、特に居間などでも多人数が使用可能でありまた、座卓や食卓などのテーブルとも併用可能な布団あるいは毛布などの掛け物及び掛け物カバーに関する。
【手続補正４】
【補正対象書類名】明細書
【補正対象項目名】００１０
【補正方法】変更
【補正の内容】
【００１０】
そこで、本考案は、掛けたり敷いたりして複数の人が容易に入ったりあるいは座ったりして利用することができまた、テーブルを安定して上に置いたりあるいはテーブルの上に掛けたりすることができる布団や毛布などの掛け物及び掛け物カバーを提供するものである。
【手続補正５】
【補正対象書類名】明細書
【補正対象項目名】００１２
【補正方法】変更
【補正の内容】
【００１２】
本願請求項２の考案は、請求項1に記載の掛け物を収納可能な、前記掛け物と同じ大きさで且つ分離溝を備えた同じ形状をした袋状に形成されていることを特徴とする掛け物カバーである。
【手続補正６】
【補正対象書類名】明細書
【補正対象項目名】００１３
【補正方法】変更
【補正の内容】
【００１３】
本願請求項３の考案は、前記掛け物カバーの分離溝に、前記分離溝を開閉する、留め具を備えた開閉布が設けられていることを特徴とする請求項２に記載の掛け物カバーである。